(57)【特許請求の範囲】
【請求項１】
ベース本体に形成した端子部の端子ばねが端子金具により押さえられている感知器ベースにおいて；
前記端子ばねの係止片には、リリース釦が配設され、
前記係止片に当接する前記リリース釦の接触面が、前記係止片に対して常時垂直方向に押圧するように曲面状になっていることを特徴とする感知器ベース。
【請求項２】
該端子金具には、２本の導線通路が設けられており、
該端子ばねには、前記各導線通路に当接する一対の係止片が設けられており、
リリース釦が、端子ばねの分離空間に嵌合する中央突起部と、各係止片に当接する接触面と、を備えていることを特徴とする請求項１記載の感知器ベース。
【請求項３】
ベース本体が、端子ばねの係止片の変位を規制するためのストッパ部を備えていることを特徴とする請求項１又は２記載の感知器ベース。
【発明の詳細な説明】
【０００１】
【発明の属する技術分野】
この発明は、火災感知器等の感知器を天井等に取り付けるための感知器ベースに関するものである。
【０００２】
火災感知器を設置する場合には、天井面等に感知器ベースを取り付け、この感知器ベースに火災感知器本体を差し込んでいる。
【０００３】
従来の感知器ベースの端子部では、ベース本体の端子ばねを押さえるように端子金具が固定されており、該端子部に挿入された導線は、端子金具と端子ばねとにより挾持される。
そして、この導線を端子部から外す場合には、端子金具の解錠孔から工具を差し込んで端子ばねの先端部を押圧して導線を抜き出す（実開平２−４２１８７号公報及び実開平２−１４５４９３号公報参照）。
【０００４】
ところが、この感知器ベースでは、工具を解錠孔に差し込まなければならないので、工具の準備や差し込み作業等が必要となり、面倒である。
そこで、この問題を解決するため、解錠釦が配置された端子構造が開発されている（特開平５−２３３９７６号公報参照）。
【０００５】
【発明が解決しようとする課題】
しかし、解錠釦の付いた端子構造では、解錠釦は樹脂カバーに基部だけ残して略Ｔ字状に切り欠く形で形成され、先端部が内方に撓む構造となっている。
そのため、釦押圧操作時には、樹脂を変形するための力が必要となるとともに、万一折れた場合には、釦がなくなることになる。
【０００６】
この発明は上記事情に鑑み、端子ばねの押圧を簡便に解除でき導線を抜きやすくすることを目的とする。
【０００７】
【課題を解決するための手段】
この発明は、ベース本体に形成した端子部の端子ばねが端子金具により押さえられている感知器ベースにおいて；前記端子ばねの係止片には、リリース釦が配設され、前記係止片に当接する前記リリース釦の接触面が、前記係止片に対して常時垂直方向に押圧するように曲面状になっていることを特徴とする感知器ベース、である。
【０００８】
【実施例】
この発明の実施例を図１〜図１７により説明する。
火災感知器のベース１のベース本体２には、電線の引出口２ｍと端子部３Ａ〜３Ｄとが設けられている。この端子部３Ａ〜３Ｄには端子ばね１０、リリース釦２０、端子金具５０が順次重ねられ、ねじ部材４０で固定されている。
【０００９】
前記４個の端子部３Ａ〜３Ｄは互いに同一に形成されているが、必ずしも同一にする必要はない。互いに向き合っている端子部３Ａと端子部３Ｃ、端子部３Ｂと端子部３Ｄは軸対称、即ち、端子部３Ａと端子部３Ｃ、端子部３Ｂと端子部３Ｄは引出口２ｍの中心Ｏを通る直線Ｃ１、Ｃ２から左右にずれている。
【００１０】
端子部３Ａは、収容空間部４により前部ブロック５と後部ブロック６とに分離されており、各ブロック５、６の内壁５ａ、６ａは垂直状壁面となっている。
【００１１】
前部ブロック５の内壁５ａ中央には、半円状の嵌合凹部５ｂが形成されているが、この凹部５ｂの深さｈ１の値及び凹部５ｂの底面５ｆとベース本体２の底面２ａ間の肉厚ｈ２は必要に応じて適宜選択される。
この凹部５ｂの底面５ｆは、リリース釦２０の移動を規制するストッパの役割を果たす。
【００１２】
前部ブロック５の上面５ｃには、互いに平行な２本の前部導線通路７ａ、７ｂが形成されている。この通路７ａ、７ｂは、断面Ｕ字状の溝部であり、導線挿入を容易にするため、入口側の通路幅は収容空間部４側のそれより広く形成されている。
【００１３】
収容空間部４の左側壁４ａには、端子金具５０の耳部５８を挿入するための引掛け部４ｂが設けられている。この引掛け部４ｂとして、例えば、袋構造の係合穴が用いられる。該収容空間部４の右側壁４ｃの近傍には、係止凸部４ｄが設けられている。この係止凸部４ｄは端子ばね１０の切欠部１６及び端子金具５０の係合切欠部５６と係合し、端子ばね１０及び端子金具５０の回転を防止するものである。この係止凸部４ｄの代わりに凹部を形成し、該係合切欠部５６の代わりに端子金具５０に突起部を形成し、該突起部を端子ばね１０の切欠部１６及び前記凹部に嵌着してもよい。
【００１４】
後部ブロック部６の内壁６ａ端縁にはストッパ部６ｂが形成されているが、このストッパ部６ｂとして、該端縁に直交する隆起部を用いても良い。
このストッパ部６ｂの高さｈ３は必要に応じて適宜選択されるが、例えば、前記肉厚ｈ２と同じ高さが選ばれる。前記内壁６ａ端縁の中央部にはガイド突起部６ｇが設けられている。
【００１５】
後部ブロック６の上面６ｃには、仕切壁６ｘにより分離された、互いに平行な２本の後部導線通路８ａ、８ｂが形成されている。両通路８ａ、８ｂは略同一に形成されているが、互いに相違させてもよい。
この通路８ａ、８ｂは、前記前部導線通路７ａ、７ｂより幅広に形成されているが、その先端部８ｃは、先端が狭くなるテーパ部であり、テーパ壁面８ｔの先端は前記前部導線通路７ａの中心線Ｃ７上に位置している。この後部導線通路８ａの中心線Ｃ８は、前部導線通路７ａの中心線Ｃ７から、端子部３Ａの中心線Ｃ３側にわずかに片寄っている。
なお、９ａは空間部、９ｂはねじ穴であるが、このねじ穴９ｂはベース本体２を貫通していない。
【００１６】
端子ばね１０は、刃金具を押さえるための刃受ばね部１１と導線を固定するための押さえばね部１２と、両ばね部１１、１２を連結する底部１３と、を備えている。刃受ばね部１１の基端側には、ねじ穴１１ａが設けられ、又、その内側縁には前記係止凸部４ｄに係合する切欠部１６が形成されている。
【００１７】
押さえばね部１２は、分離空間１２ａを介して対向する一対の係止片１４、１５を備えており、両係止片１４、１５は互いに同形に形成されている。
係止片１４は、底面１３の側縁から垂直状に起立する垂直部１４ａ、１４ｂと、該垂直部１４ａ、１４ｂに連続する傾斜部１４ｃ、１４ｄとを備えている。
【００１８】
前記垂直部１４ａ、１４ｂの高さＬ１は、必要に応じて適宜選択されるが、例えば、端子部３Ａに端子ばね１０を装着した時、該垂直部１４ａ、１４ｂの折れ部１４ｆ、１４ｇがストッパ部６ｂ、又は、嵌合凹部の底面５ｆよりわずかに高い位置になる寸法が選ばれる。
【００１９】
前記傾斜部１４ｃ、１４ｄはほぼ同じ傾斜角度θであるが、この傾斜角度θは必要に応じて適宜選択される。例えば、両傾斜部１４ｃ、１４ｄの傾斜角度θとして、３０゜が選ばれる。尚、外側の傾斜部１４ｄの先端１４ｅは、下方に折れ曲げられている。
【００２０】
リリース釦２０のリリース釦本体２１には釦部２２と押え片部２７ａ、２７ｂとが設けられている。この釦部２２は該本体２１の上面２１ａに突設されており、該釦部２２の上端面にはドライバ挿着溝２３が設けられている。
該本体２１の前面２１ｃには、前記ガイド突起部６ｇに嵌着されるガイド溝２４が設けられ、又、その後面２１ｄには前記嵌合凹部５ｂに嵌着される嵌合突部２５が設けられている。この嵌合突部２５は、前記嵌合凹部５ｂに合わせて平面半円形に形成されている。
【００２１】
押さえ片部２７ａ、２７ｂは該本体２１の両側に設けられているが、両押さえ片部２７ａ、２７ｂは同形に形成されている。両押さえ片２７ａ、２７ｂの底面２７ｃ、２７ｄは係止片１４、１５に当接する接触面であり、曲面状に形成されている。この両底面２７ｃ、２７ｄは、リリース釦本体２１の底部２１ｆをなす中央突起部２１ｆを介して対向している。
この底面２７ｃ、２７ｄの曲率半径ｒは、必要に応じて適宜選択される。
このリリース釦本体２１の底部をなす中央突起部２１ｆは、両押さえ片部２７ａ、２７ｂの底面２７ｃ、２７ｄより突出しているので、該中央突起部２１ｆは仕切壁の機能を有する。
【００２２】
端子金具５０は刃受部５３と導線押さえ部５４とを備えている。刃受部５３の基部にはねじ４０が挿入されるねじ穴５５が設けられ、又、その内側縁には係止凸部４ｄが嵌着される係合切欠部５６が形成されている。導線押さえ部５４には、リリース釦２０の装着される取付穴５７が設けられ、又、その側縁には係合穴４ｂに嵌入される耳部５８が突設されている。
【００２３】
火災感知器のベース１を組み立てる場合について説明する。
ベース本体２の端子部３Ａの収容部空間部４に端子ばね１０の係止片１４、１５を挿入し、切欠部１６を係止凸部４ｄに係合する。この時、端子ばね１０の垂直部１４ａ、１５ａは内壁５ａ、６ａに当接し、係止片１４、１５の折り部１４ｆ、１４ｇはストッパ部６ｂ及び嵌合凹部５ｂの底面５ｆよりわずかに上方に位置している。
【００２４】
両係止片１４、１５の分離空間１２ａにリリース釦２０の中央突起部２１ｆを挿入し、押さえ片部の底面２７ｃ、２７ｄを係止片の傾斜部１４ｃ、１５ｃに当接させる。この時、リリース釦２０の嵌合突起２５はベース本体の嵌合凹部５ｂに挿入され、又、ガイド溝２４はベース本体のガイド突部６ｇに嵌着されるので、該リリース釦２０は前記嵌合凹部５ｂ、ガイド溝２４に案内されながら上下動することが可能である。そのため、該リリース釦２０を設計通りに正確に摺動させることができる。
【００２５】
リリース釦２０の釦部２２を端子金具５０の取付穴５７に挿入し、該端子金具５０を端子ばね１０に重ね、ねじ穴５５にねじ部材４０を挿入して本体１のねじ穴９Ｃに締め付ける。この時、端子金具５０の切欠部５６は係止凸部４ｄに係合され、耳部５８はベース本体の係合穴４ｂに係止される。そのため、端子金具５０の浮き上がり及び回動は、規制されるので該端子金具５０を設計位置に維持することができる。
組立完了後の断面は、図１２〜図１５に示す通りである。
【００２６】
次に、この火災感知器のベース１の端子部３Ａに導線Ｗを装着する場合について説明する。引出口２ｍから導線Ｗを通し、矢印Ａ３方向から、図１５の状態の端子部３Ａに該導線Ｗの先端部Ｗ１を前部導線通路７ａに差し込む。
そうすると、図１６に示す様に、該先端部Ｗ１は、係止片１４の傾斜部１４ｃ、１４ｄを押圧しながら直進し、後部導線通路８ａに到達する。
更に該先端部Ｗ１を同方向に押し込むと、該先端部Ｗ１は後部導線通路８ａの先端部８ｃに案内されながら移動し、端子金具５０の後端から露出する。
【００２７】
この時、導線Ｗはリリース釦２０により隣りの前部導線通路７ｂ側に曲がるのを規制されながら進行する。又、後部導線通路８ａの中心線Ｃ８は前部導線通路７ａの中心線Ｃ７からずれており、かつ、先端部８ｃがテーパ部になっているので、導線の先端部Ｗ１は、末端部８ｃのテーパ壁面８ｔに衝突し該テーパ壁面８ｔに沿って進行する。そのため、図１６に示す様に、該導線Ｗの先端部Ｗ１は、所定位置に導入され、その先端は露出するので、目視により導線Ｗの装着を確認することができる。
【００２８】
この導線Ｗは、係止片１４の傾斜部１４ｃ、１４ｄに押圧されているので、矢印Ａ３と反対方向に引いても抜けない。
なお、他の導線通路７ｂ、８ｂ及び他の端子部３Ｂ〜３Ｄに導線を通す時にも前記と同様にして行う。矢印Ａ４〜Ａ６は導線挿入方向を示す。
【００２９】
又、各端子部３Ａ〜３Ｄは、前述の様に互いに向かい合う端子部３Ａと端子部３Ｃ、端子部３Ｂと端子部３Ｄは軸対称となっているので、各導線通路に導線を通す時には引出口２ｍの中心Ｏから外れた方向から挿入されることになる。
そのため、向かい合う端子部の一方、例えば、端子部３Ａに挿入された導線が他方の端子部３Ｃに導線を挿入する時に邪魔になることはないので、セッテング作業が容易となる。
【００３０】
次に、導線Ｗを端子部３Ａから外す場合について説明する。
図１６に示す状態のリリース釦２０を押すと、係止片の傾斜部１４ｃが押さえ片部２７ａ、２７ｂに押圧され、その先端が導線Ｗから離れ、図１７に示す状態となる。この時、リリース釦２０の押さえ片部２７ａ、２７ｂの底面２７ｃ、２７ｄは、曲面状となっているので、リリース釦２０の押圧力は係止片の傾斜部１４ｃ、１５ｃ上を円滑に滑りながら該傾斜部１４ｃ、１５ｃに対し直角方向Ｓを与える。  このリリース釦２０の係止片に対する力の方向を図示すると、図１３、図１４の様になる。即ち、押圧開始当初におけるリリース釦２０の押圧力は図１３に示す様に、係止片の傾斜部１４ｃに対して矢印Ｓ１方向であり、更に押圧力を加えた場合のその方向は、図１４に示す様に、係止片の傾斜部１４ｃに対して矢印Ｓ２方向となり、いずれも係止片の傾斜部１４ｃに対して直角方向となる。そのため、係止片１４、１５を効率良く押し下げることができる。
【００３１】
又、リリース釦２０を押圧すると、その中央突起部２１ｆは嵌合凹部５ｂの底面５ｆに当接し、移動を停止する。そのため、係止片１４、１５に無理な力を加えることがないので、傾斜部１４ｃ、１５ｃの破損を防止できる。
【００３２】
なお、係止片１４、１５の傾斜部１４ｄ、１５ｄは、設計以上に折れ曲がると、ストッパ部６ｂに当接し、支持されるので、該傾斜部１４ｄ、１５ｄに無理な力が加わるのを防止することができる。
【００３３】
【発明の効果】
この発明は、以上の様に構成したので、次の様な顕著な効果を奏する。
（１）端子金具には、２本の導線通路が設けられており、前記端子ばねには、前記各導線通路に当接する一対の係止片を備えており、前記端子ばねの係止片には該両係止片を離間せしめ、かつ、ベース本体と独立したリリース釦が設けられているので、導線挿入時に対応する端子ばねの係止片が確実に導線を挾持することができる。
又、リリース釦は、ベース本体と独立しているので、リリース釦を押す力がすべて係止片を押圧することになり、解錠操作を効果的に行える。
【００３４】
（２）リリース釦は、端子ばねの分離空間に嵌め合わされる中央突起部と、各係止片に当接する接触面とを設けたので、リリース釦を押すと、従来例と異なり、その力はすべて係止片を押す方向に作用する。そのため、効率良く解錠操作を行うことができる。
【００３５】
（３）リリース釦の各係止片に当接する接触面を曲面状に形成したので、係止片の変位に対応して接触面が移動する。そのため、リリース釦の押圧力は常に係止片に対して垂直方向に加えることができるので、解錠操作が効果的に行える。
【００３６】
（４）ベース本体に端子ばねの係止片の曲がりを規制するストッパ部を備えているので、リリース釦の押し過ぎによる端子ばねの係止片の変形を防止することができる。
【図面の簡単な説明】
【図１】本発明の実施例を示す平面図である。
【図２】図１の端子部の拡大図である。
【図３】図１の端子部から端子金具、リリース釦、端子ばねを除去した状態を示す平  面図である。
【図４】端子ばねの平面拡大図である。
【図５】端子ばねの正面図である。
【図６】図４のVI-VI線断面図である。
【図７】リリース釦の平面図である。
【図８】リリース釦の正面図である。
【図９】リリース釦の底面図である。
【図１０】端子金具の平面図である。
【図１１】端子金具の正面図である。
【図１２】図２のXII-XII線断面図である。
【図１３】図２のXIII-XIII線断面図である。
【図１４】図１３の他の状態を示す断面図でリリース釦を押した状態を示す図である。
【図１５】図２のXV-XV線断面図である。
【図１６】図１５の端子部に導線を挿入した状態を示す断面図である。
【図１７】図１６の他の状態を示す断面図でリリース釦を押した状態を示す図である。
【符号の説明】
２          ベース本体
３Ａ        端子部
３Ｂ        端子部
３Ｃ        端子部
３Ｄ        端子部
４          収容空間部
４ｂ        引掛け部
４ｄ        係止凸部
５          前部ブロック
５ｂ        嵌合凹部
６          後部ブロック
６ｂ        ストッパ部
７ａ        前部導線通路
７ｂ        前部導線通路
８ａ        後部導線通路
８ｂ        後部導線通路
１０        端子ばね
１１        刃受ばね部
１２        押えばね部
１４        係止片
１５        係止片
１６        切欠部
２０        リリース釦
２７        押え片部
２７ａ        接触面
２７ｂ        接触面
５０        端子金具
５１        導線通路
５２        導線通路
５６        係合切欠部
５８        耳部
【図１】
0003709511.tif 000002
【図２】
0003709511.tif 000003
【図３】
0003709511.tif 000004
【図４】
0003709511.tif 000005
【図５】
0003709511.tif 000006
【図６】
0003709511.tif 000007
【図７】
0003709511.tif 000008
【図８】
0003709511.tif 000009
【図９】
0003709511.tif 000010
【図１０】
0003709511.tif 000011
【図１１】
0003709511.tif 000012
【図１２】
0003709511.tif 000013
【図１３】
0003709511.tif 000014
【図１４】
0003709511.tif 000015
【図１５】
0003709511.tif 000016
【図１６】
0003709511.tif 000017
【図１７】
0003709511.tif 000018